(57)【特許請求の範囲】
【請求項１】
台座を有するスタンドと、該スタンドに支えられた表示部と、第一スピーカ及び第二スピーカと、を備える表示装置において、
前記台座の上面は、前記第一スピーカの音が出力される第一出力部の下方に位置する第一傾斜面と前記第二スピーカの音が出力される第二出力部の下方に位置する第二傾斜面とを備え、前記第一傾斜面は前下りかつ前記第一出力部と前記第二出力部との配列方向に対して前記第二出力部から離れる方向に下がる傾斜勾配を有し、前記第二傾斜面は前下りかつ前記第一出力部と前記第二出力部との配列方向に対して前記第一出力部から離れる方向に下がる傾斜勾配を有している
ことを特徴とする表示装置。
【請求項２】
前記第一傾斜面及び前記第二傾斜面は、前記第一出力部と前記第二出力部との略中央から線対称に配置されている
ことを特徴とする請求項１に記載の表示装置。
【請求項３】
前記第一傾斜面における音の反射方向と、前記第二傾斜面における音の反射方向とが、前記第一出力部と前記第二出力部との略中央から線対称になっている
ことを特徴とする請求項１または請求項２に記載の表示装置。
【請求項４】
前記第一出力部は、出力された音が前記第一傾斜面に向かって出力されるよう配され、
前記第二出力部は、出力された音が前記第二傾斜面に向かって出力されるよう配されている
ことを特徴とする請求項１乃至請求項３のいずれか１項に記載の表示装置。
【請求項５】
前記第一傾斜面と前記第二傾斜面とが一体に形成されている
ことを特徴とする請求項１乃至請求項４のいずれか１項に記載の表示装置。
【請求項６】
キャビネット内に前記表示部と前記第一スピーカ及び前記第二スピーカが収納され、
前記キャビネットの下面に前記第一出力部及び前記第二出力部が配されている
ことを特徴とする請求項１乃至請求項５のいずれか１項に記載の表示装置。
【請求項７】
前記第一出力部及び前記第二出力部が、前記台座の後方寄りに配されている
ことを特徴とする請求項１乃至請求項６のいずれか１項に記載の表示装置。
【請求項８】
前記第一出力部及び前記第二出力部は、前記台座の横幅内に配されている
ことを特徴とする請求項１乃至請求項７のいずれか１項に記載の表示装置。
【発明の詳細な説明】
【技術分野】
【０００１】
本発明は、薄型テレビジョン受像機のような薄型テレビジョン受像機、特に、正面視において左右に振り分けて配備された左側スピーカ及び右側スピーカを備え、画像表示部がスタンドで支えられる薄型テレビジョン受像機に関する。
【背景技術】
【０００２】
近年、薄型テレビジョン受像機は、さらなる薄形化やフロントキャビネットの額縁幅の縮小化が顕著に促進されている。そして、それに伴ってスピーカの配置にも多くの制約が生じてきている。
【０００３】
図７は薄型テレビジョン受像機の画像表示部Ａを背面側から見て示した概略斜視図である。同図の薄型テレビジョン受像機では、その画像表示部Ａが、液晶モジュール（不図示）やその液晶モジュールを内蔵しているキャビネット１０などを備えている。キャビネット１０は一般的にフロントキャビネット１１とリアキャビネット１５とを合わせることによって形成されていて、フロントパネル１１の額縁部によって形成される表示窓（図に現れていない）に上記液晶モジュールの液晶表示素子（不図示）が臨んでいる。また、リアキャビネット１５の背面中央部に背方迫出し部１６が膨らみ出ていて、その内部に液晶モジュールの基板（不図示）などが収容されている。さらに、液晶モジュールの背部でリアキャビネット１５の背方迫出し部１６の内側下部に、左側スピーカＳ１と右側スピーカＳ２とが正面視において左右対称位置に振り分けて配備されていて、それらのスピーカＳ１，Ｓ２は下向きに音を出力する姿勢でリアキャビネット１５に組み付けられている。
【０００４】
同図のように、リアキャビネット１５の背方迫出し部１６の内側下部に、左側スピーカＳ１と右側スピーカＳ２とを正面視において左右に振り分けて配置してあるのは、概ね以下の理由による。
【０００５】
すなわち、薄型テレビジョン受像機の見掛け状の薄形化を図るためには、リアキャビネット１５の周囲を薄くすることが有利であり、その結果としてリアキャビネット１５の中央部分に背方迫出し部１６を形成して内部機構部品（上記基板など）を収容する必要があること、薄形化されたリアキャビネット１５の周囲に、安価に入手し得るスピーカを配置することには、そのスピーカのサイズを勘案すると配置スペース面で困難を伴うこと、それらのスピーカＳ１，Ｓ２として小形高音質の高価なスピーカを採用することにはコスト上の制約が生じること、などの事由がある。
【０００６】
そこで、図７に示した薄型テレビジョン受像機では、上記したようなスピーカの配置や価格についての制約を勘案した上で、左右２つのスピーカＳ１，Ｓ２の間隔Ｗを、リアキャビネット１５の背方迫出し部１６の内側下部で可能な限り広く定めることにより、左右２つのスピーカＳ１，Ｓ２から出力される音を、ユーザがキャビネット１０の前方位置で可能な限り聞き取りやすくし、しかも、左右２つのスピーカＳ１，Ｓ２から出力される音の差を、ユーザがキャビネット１０の前方位置で可能な限り明瞭に認識できるようにして音響上のステレオ感を向上させることを狙っている。
【０００７】
図８は従来例による薄型テレビジョン受像機の正面図、図９は同側面図である。この薄型テレビジョン受像機には、図７を参照して説明した構成が採用されていて、１２はフロントキャビネット１１の額縁部であり、その額縁部１２によって取り囲まれた表示窓１３に、液晶モジュールの液晶表示素子１４が臨んでいる。
【０００８】
また、この薄型テレビジョン受像機はスタンド２０を備えていて、そのスタンド２０によって上記キャビネット１０などを備えた画像表示部Ａが起立姿勢で支えられる。スタンド２０は、床面やテーブル面上に載置される平坦な台座２１を備えている。そして、台座２１の上面２２は平坦面になっている。
【０００９】
一方、画像表示部をスタンドで支えるようにした薄型テレビジョン受像機は従来より周知である（たとえば、特許文献１、特許文献２、特許文献３参照）。そして、特許文献１によると、スタンドによる薄型表示装置の支持安定性を高める手段が提供されている。また、特許文献２や特許文献３によると、本体に対するスタンドの着脱容易性を改善する手段が提供されているほか、特許文献３には、音声出力用のスピーカを表示装置（上記画像表示部に相当）の左右両側で前向きに配置した構成が示されている。さらに、特許文献４によると、薄型表示装置のクッション性を付与したスタンドの外観品位の低下を防止する手段が提案されている。
【先行技術文献】
【特許文献】
【００１０】
【特許文献１】特開２０１０−１４１６１０号公報
【特許文献２】実用新案登録第３１１６０８７号公報
【特許文献３】特開２００５−１６５３５１号公報
【特許文献４】特開２００７−８６２４０号公報
【発明の概要】
【発明が解決しようとする課題】
【００１１】
しかしながら、図７や、図８及び図９などを参照して説明した薄型テレビジョン受像機では、左右２つのスピーカＳ１，Ｓ２が下向きに設置されて、それらのスピーカＳ１，Ｓ２から出力される音が下方を指向するようになっていると、それらのスピーカＳ１，Ｓ２が画像表示部の下側に確保される空間Ｓの近くに設置されているとしても、画像表示部Ａの前方への音圧が小さくなってしまってキャビネット１０の前方に音が拡がりにくい、ということが云える。また、左右２つのスピーカＳ１，Ｓ２の間隔Ｗが可能な限り広く定められているとしても、その間隔Ｗは、薄型テレビジョン受像機に存在しているスピーカの配置についての多くの制約を勘案した結果によるものであるために、それほど広く確保することは困難である。そのため、画像表示部Ａの前方では、ユーザが、左右２つのスピーカＳ１，Ｓ２から出力された音の差をそれほど明瞭に左右の耳で聞き分けることはできない。その結果、正面視において左右に振り分けて左側スピーカＳ１及び右側スピーカＳ２が配備されているとしても、左右２つのスピーカＳ１，Ｓ２による音響的なステレオ感が満足されにくい、ということが云える。
【００１２】
この点に関し、スタンド２０の台座２１の平坦な上面２２が、左右２つのスピーカＳ１，Ｓ２の下方に位置している場合には、その台座２１の上面２２が各スピーカＳ１，Ｓ２から出力される音を反射して一定の音響効果が得られるとも考えられる。しかし、台座２１の上面２２による音の反射方向は、台座２１の上方を向いている。そのために、画像表示部Ａの前方への音圧を増大させることにそれほど寄与することはなく、画像表示部Ａの前方に向けて音が拡がりにくい。また、左右２つのスピーカＳ１，Ｓ２の間隔Ｗがそれほど広くないので、画像表示部Ａの前方での音響的なステレオ感も満足されにくい。
【００１３】
これに対し、上掲の各特許文献によって提案されている技術を利用しても、下向きに設置された左右２つのスピーカから出力される音のキャビネットの前方への音圧を増大させたり、上記したステレオ感を改善したりすることは困難である。
【００１４】
本発明は、以上の状況の下でなされたものであり、下向きに設置された左右２つのスピーカを備えていて、それらのスピーカの相互間隔を広く確保することが困難な薄型テレビジョン受像機であっても、スタンドによる音の反射を利用することによって、キャビネットの前方への音圧の増大化を可能にし、併せて、音響的なステレオ感を改善することのできる薄型テレビジョン受像機を提供することを目的とする。
【課題を解決するための手段】
【００１５】
本発明に係る薄型テレビジョン受像機は、台座を有するスタンドと、このスタンドに支えられた画像表示部と、正面視において左右に振り分けて配備された左側スピーカ及び右側スピーカと、を備えている。そして、上記台座の上面が、上記左側スピーカ及び上記右側スピーカから出力された音の反射面として形成され、その反射面が、上記左側スピーカの下方に位置する左側区画と上記右側スピーカの下方に位置する右側区画とに２区画されていると共に、上記反射面の左側区画に、前下り及び左下がりの傾斜勾配が付与され、上記反射面の右側区画に、前下り及び右下がりの傾斜勾配が付与されている。
【００１６】
このように構成された薄型テレビジョン受像機によると、左側スピーカから出力された音が、スタンドの台座に形成された音の反射面の左側区画で反射して左前方へ拡散する。同様に、右側スピーカから出力された音が、スタンドの台座に形成された音の反射面の右側区画で反射して右前方へ拡散する。そのため、左右２つのスピーカが下向きに設置されて、それらのスピーカから出力される音が下方を指向するようになっているものでありながら、左右２つのスピーカから出力される音の画像表示部の前方への音圧が増大し、しかも、ユーザが、左右２つのスピーカから出力された音の差を、画像表示部の前方で左右の耳で明瞭に聞き分けられるようになり、音響的なステレオ感が満足されやすくなる。
【００１７】
また、スタンドの座部の上面を音の反射面として利用しているので、音圧やステレオ感といった音響効果を、新たな部品を追加することなく改善することができるという利点を有している。加えて、小形高音質の高価なスピーカを用いることなく、音圧やステレオ感といった音響効果を改善することができるという利点もある。
【００１８】
本発明では、左側スピーカが反射面の上記左側区画の真上で下向きに配備され、右側スピーカが反射面の上記右側区画の真上で下向きに配備されていることが望ましい。この構成であると、左側スピーカの下向き指向の音が反射面の左側区画で効率よく反射し、右側スピーカの下向き指向の音が反射面の右側区画で効率よく反射することになって、上記した前方への音圧の増大化や左右への音の拡がりによるステレオ感がいっそう改善される。      
【００１９】
本発明では、画像表示部が、液晶モジュールをキャビネットに内蔵してなり、上記左側スピーカ及び上記右側スピーカが、上記液晶モジュールの背部で上記キャビネットの下端部に設置されている、という構成であってもよい。したがって、本発明は、近年の薄形化指向の高い薄型テレビジョン受像機の音響性能を改善する上できわめて有益である。
【発明の効果】
【００２０】
以上のように、本発明によると、スタンドの座部の上面を音の反射面として利用することによって、音響効果改善のための新たな部品を追加したり、小形高音質の高価なスピーカを用いたりすることなく、前方への音圧を増大化させたりユーザが感じるステレオ感を改善したりすることが可能になるので、音響効果に優れた薄型テレビジョン受像機を安価に提供することが可能になる。
【図面の簡単な説明】
【００２１】
【図１】本発明の実施形態に係る薄型テレビジョン受像機の正面図である。
【図２】図１の側面図である。
【図３】反射面の左側区画や右側区画の構成を説明的に示した斜視図である。
【図４】台座の構成を説明的に示した正面図である。
【図５】図４の側面図である。
【図６】作用を説明するための台座の概略斜視図である。
【図７】薄型テレビジョン受像機の画像表示部Ａを背面側から見て示した概略斜視図である。
【図８】従来例による薄型テレビジョン受像機の正面図である。
【図９】図８の側面図である。
【発明を実施するための形態】
【００２２】
図１は本発明に係る薄型テレビジョン受像機の正面図、図２は図１の側面図である。
【００２３】
この実施形態の薄型テレビジョン受像機において、画像表示部Ａが、液晶モジュール（不図示）やその液晶モジュールを内蔵しているキャビネット１０などを備えている点、キャビネット１０がフロントキャビネットとリアキャビネットとを合わせることによって形成されている点、フロントパネル１１の額縁部１２によって形成される表示窓１３に液晶モジュールの液晶表示素子１４が臨んでいる点、リアキャビネットの背面中央部の背方迫出し部１６の内部に液晶モジュールの基板（不図示）などが収容されている点、液晶モジュールの背部でリアキャビネットの背方迫出し部１６の内側下部に、左側スピーカＳ１と右側スピーカＳ２とが正面視において左右対称位置に振り分けて配備されている点、それらのスピーカＳ１，Ｓ２は下向きに音を出力する姿勢で組み付けられている点、などは、図８及び図９を参照して説明した従来例としての薄型テレビジョン受像機と同様である。さらに、スタンド２０を備えていて、そのスタンド２０によって画像表示部Ａが起立姿勢で支えられる点についても、図８及び図９を参照して説明した従来例としての薄型テレビジョン受像機と同様である。
【００２４】
スタンド２０は、床面やテーブル面上に載置される平坦な台座２１を備えている。そして、この実施形態では、台座２１の上面が、左側スピーカＳ１及び右側スピーカＳ２から出力された音の反射面２３として形成されている。また、その反射面２３は、左側スピーカＳ１の下方に位置する左側区画２４と右側スピーカＳ２の下方に位置する右側区画２５とに２区画されていている。次に、上記反射面２３の左側区画２４や右側区画２５について詳細に説明する。
【００２５】
図３は台座２１の上面によって形成されている反射面２３の左側区画２４や右側区画２５の構成を説明的に示した斜視図、図４は台座２１の構成を説明的に示した正面図、図５は図４の側面図である。また、図６は作用を説明するための台座２１の概略斜視図である。
【００２６】
台座２１はその下面を床面やテーブル面に載置するようになっている。図３〜図５のように、台座２１の上面によって形成されている反射面２３は、その幅方向中央に奥行方向に延びるまっすぐな稜線２６を有し、その稜線２６を境にして左側区画２４と右側区画２５とに２区画されている。図例では、反射面２３の左側区画２４及び右側区画２５を、共に平坦に形成してあるけれども、それらの左側区画２４及び右側区画２５を曲率半径の大きな凹面に形成することも可能である。
【００２７】
図３のように、反射面２３の左側区画２４には、前方Ｆに向かうほど下位に位置する前下り勾配θ１と、左方Ｌに向かうほど下位に位置する左下がり勾配θ２を有している。そのため、この左側区画２４には、前下り及び左下がりの傾斜勾配が付与されている。同様に、右側区画２５には、前方Ｆに向かうほど下位に位置する前下り勾配θ１と、右方Ｒに向かうほど下位に位置する右下がり勾配θ２を有している。そのため、この右側区画２５には、前下り及び右下がりの傾斜勾配が付与されている。そして、左側区画２４の左下がり勾配θ２の値と、右側区画２５の右下がり勾配θ２の値とは等しくなっている。上記の理解を助けるために、図３には補助線１００を仮想線で付加してある。
【００２８】
この実施形態では、図３の補助線１００や、図４又は図５を参照することによって類推することができるように、反射面２３の左側区画２４に前下り及び左下がりの傾斜勾配を付与し、右側区画２５に前下り及び右下がりの傾斜勾配を付与するための手段として、稜線２６の後端２６ｂをその前端２６ａよりも高くすると共に、左側区画２４の後縁外端２４ｄと右側区画２５の後縁外端２５ｄとをそれらの前縁外端２４ｃ及び前縁外端２５ｃよりも高くし、かつ、稜線２６の後端２６ｂよりも低くしてある。
【００２９】
また、図１及び図２によって判るように、この実施形態では、左側スピーカＳ１が反射面２３の左側区画２４の真上で下向きに配備され、右側スピーカＳ２が反射面２３の右側区画２５の真上で下向きに配備されている。そのため、左側スピーカＳ１から出力された音（音波）のほゞ全部が反射面２３の左側区画２４に衝突して反射し、右側スピーカＳ２から出力された音（音波）のほゞ全部が反射面２３の右側区画２４に衝突して反射することになる。
【００３０】
図６を参照して作用を説明する。同図では、左側スピーカから出力された音を下向き矢印ＳＬで示し、右側スピーカから出力された音を下向き矢印ＳＲで示してある。また、正面から見て左方を矢印Ｌ、右方を矢印Ｒ、画像表示部Ａ（図１又は図２参照）の前方を矢印Ｆで示してある。
【００３１】
上記したように、反射面２３の左側区画２４に前下り及び左下がりの傾斜勾配を付与し、右側区画２５に前下り及び右下がりの傾斜勾配を付与してあり、左側スピーカＳ１が反射面２３の左側区画２４の真上で下向きに配備され、右側スピーカＳ２が反射面２３の右側区画２５の真上で下向きに配備されている。そのため、左側スピーカＳ１から出力された音ＳＬのほゞ全部が反射面２３の左側区画２４に衝突して反射し、矢印Ｌ１で例示したように左前方へ拡散する。同様に、右側スピーカＳ２から出力された音ＳＲのほゞ全部が、反射面２３の右側区画２５で衝突して反射し、矢印Ｒ１で例示したように右前方へ拡散する。そのため、左右２つのスピーカＳ１，Ｓ２から出力される音ＳＬ，ＳＲが共に下方を指向するようになっているものでありながら、左右２つのスピーカＳ１，Ｓ２から出力される音ＳＬ，ＳＲの画像表示部の前方への音圧が増大する。しかも、ユーザは、左右２つのスピーカＳ１，Ｓ２から出力された音ＳＬ，ＳＲのうち、左前方に拡散された音Ｌ１を左耳で聴き取り、右前方に拡散された音Ｒ１を右耳で聴き取るようになるので、左右の音ＳＬ，ＳＲの差を左右の耳で明瞭に聞き分けるようになって、音響的なステレオ感が満足されやすくなる。言い換えると、左側区画２４で反射した音Ｌ１は左前方へ、右側区画２５で反射した音Ｒ１は右前方へ向けて拡散するので、左右の音Ｌ１，Ｒ１が混ざるという状況が生じにくくなり、そのことが、ステレオ感をいっそう向上させることに役立つ。
【００３２】
この実施形態では、台座２１の上面によって形成した反射面２３の左側区画２４と右側区画２５とを直線状の稜線２６を境にして仕切っているけれども、この点は、稜線２６に丸みを持たせたり、稜線２６の頂面部分を平坦にしたりすることも可能である。さらに、左側区画２４や右側区画２５の平面視形状を矩形以外の形状、たとえば半円状などに形作ることも可能である。これらは、台座２１のデザインを勘案して適宜選定することが可能である。
【符号の説明】
【００３３】
Ａ  画像表示部
１０  キャビネット
２０  スタンド
２１  台座
２３  音の反射面
２４  左側区画
２５  右側区画
Ｓ１  左側スピーカ
Ｓ２  右側スピーカ
ＳＬ，ＳＲ  スピーカから出力された音
θ１  前下り勾配
θ２  左下がり勾配又は右下がり勾配
【図１】
0005811579.tif 000002
【図２】
0005811579.tif 000003
【図３】
0005811579.tif 000004
【図４】
0005811579.tif 000005
【図５】
0005811579.tif 000006
【図６】
0005811579.tif 000007
【図７】
0005811579.tif 000008
【図８】
0005811579.tif 000009
【図９】
0005811579.tif 000010